(57)【特許請求の範囲】
【請求項１】
換気口を形成する換気枠と、この換気枠の正面に下辺部を揺動自在に取り付けられて上記換気口を開閉する窓枠と、上記換気枠の上下に架設されて軸方向に沿ってスリットが形成される支柱と、上記窓枠の上下に架設される支持材と、上記窓枠を駆動する駆動手段とを備え、
この駆動手段が上記支柱の背面に固定されるハウジングと、このハウジングに軸支される歯車と、この歯車に基部が噛合すると共にこの基部に連設される駆動アーム本体が上記スリットを貫通して窓枠側に突出し上記歯車の回転に伴い上下方向に回転する駆動アームと、一端側がこの駆動アームの先端部に揺動自在に連結されて他端側が上記支持材に揺動自在に連結される左右のリンクとを有する換気装置において、
上記換気口を開く方向に上記窓枠を附勢する附勢手段を備え、
上記附勢手段は、ダブルトーションばねからなり、先端部が左右の上記リンクの上面にそれぞれ引っ掛かる左右一対のアーム部と、これらのアーム部にそれぞれ連設される左右一対のコイル部と、これらのコイル部を連結すると共に上記駆動アーム本体上面に当接する連結部とを備え、
上記コイル部が上記駆動アームと上記リンクとを連結する連結手段に保持されることを特徴とする換気装置。
【請求項２】
上記支持材は、上記窓枠体の内側に左右に配置され、
上記リンクは、上記駆動アームの左右に設けられてなり、
左側のリンクは、その一端側が上記駆動アームの先端部の左側に、その他端側が左側の支持材に揺動自在に連結され、
右側のリンクは、その一端側が上記駆動アームの先端部の右側に、その他端側が左側の支持材に揺動自在に連結されることを特徴とする請求項１に記載の換気装置。
【請求項３】
上記連結手段は、ボルトと、このボルトの外周に遊嵌されて直列に配置される三本の筒体と、同じく上記ボルトの外周に遊嵌されて上記各筒体の両側に配置される四枚のワッシャと、上記ボルトの先端部に螺合するナットとを備え、
中央の筒体が上記駆動アームの先端部を左右に貫通すると共に、この筒体の左右に回転自在に装着される左右のホルダに左右の上記リンクの一端が結合し、左右の筒体が左右の上記コイル部内に遊嵌されることを特徴とする請求項１または２に記載の換気装置。
【発明の詳細な説明】
【技術分野】
【０００１】
この発明は、農作物や園芸用植物等を育成するために利用されるビニールハウスの妻面、屋根面、側面等に設けられて、ビニールハウス内を換気する換気装置に関する。
【背景技術】
【０００２】
一般に、ビニールハウスの妻面、屋根面、側面等に設けられて、ビニールハウス内を換気する換気装置は、ビニールハウス内の温度や湿度等を適正に保ち、農作物や園芸用植物等の生育環境を整えるものである。
【０００３】
換気装置は各種提案がなされており、例えば、特許文献１の図１に記載されるように、ビニールハウスの妻面、屋根面または側面に換気口を形成する換気枠と、この換気枠の正面に下辺部を揺動自在に取り付けられて上記換気口を開閉する窓枠と、上記換気枠の上下に架設されて軸方向にスリットが形成される支柱と、上記窓枠の上下に架設される支持材と、上記窓枠を駆動する駆動手段とを備える。
【０００４】
この駆動手段は、上記支柱の背面側に設けられ外周に螺旋状のリブが形成される操作ロッドと、この操作ロッド外周に螺合して上記操作ロッドの回転に従い上下方向に移動するスライダーと、一端側がこのスライダーに揺動自在に連結されて他端側が上記スリットを貫通して窓枠側に突出するブラケットと、一端側がこのブラケットに固定されて他端側が上記支持材に揺動自在に連結されるリンクとを有する。
【０００５】
上記構成を備えることにより、上記操作ロッドを回転してスライダーを上下動し、上記リンクの傾きを変化させて上記窓枠の下辺部を揺動し換気口を開閉することが可能となる。
【０００６】
しかしながら、特許文献１に開示の換気装置においては、上記操作ロッドを備えることにより、換気装置が大型化して重量が増し、コスト高となる不具合があった。
【０００７】
そこで、出願人は、上記不具合を解決するため、上記操作ロッドを設けることなく窓枠を駆動することが可能な換気装置を発明した（特願２０１０−０１４３８６）。
【０００８】
この換気装置における駆動手段は、支柱に保持されるハウジングと、このハウジングに軸支される歯車と、この歯車に基部が噛合すると共にこの基部に連設される駆動アーム本体がスリットを貫通して窓枠側に突出し上記歯車の回転に伴い上下方向に回転する駆動アームと、一端側がこの駆動アームの先端部に揺動自在に連結されて他端側が上記支持材に揺動自在に連結されるリンクとを有する。
【０００９】
上記構成を備えることにより、上記歯車を回転して駆動アームを上下方向に回転し、リンクの傾きを変化させて上記窓枠の下辺部を揺動し換気口を開閉することが可能となる。
【先行技術文献】
【特許文献】
【００１０】
【特許文献１】特開２００５−２４５２０３号  公報
【発明の概要】
【発明が解決しようとする課題】
【００１１】
上記従来の換気装置において、操作ロッドを設けることなく窓枠を揺動して換気口を開閉し、換気装置を小型化して軽量化することが可能となる点において有用であるが、以下の不具合を指摘される虞がある。
【００１２】
即ち、歯車と駆動アームの歯と歯の間には隙間（バックラッシュ）が設けられているため、窓枠の下辺部を換気口側に向けて揺動し換気口を閉じるとき、窓枠の重みで上記隙間分駆動アームが回転し、ガタツキを生じる。
【００１３】
そこで、本発明の目的は、換気口を閉じるときに上記ガタツキを防止することが可能な換気装置を提供することである。
【課題を解決するための手段】
【００１４】
上記課題を解決するための手段は、換気口を形成する換気枠と、この換気枠の正面に下辺部を揺動自在に取り付けられて上記換気口を開閉する窓枠と、上記換気枠の上下に架設されて軸方向に沿ってスリットが形成される支柱と、上記窓枠の上下に架設される支持材と、上記窓枠を駆動する駆動手段とを備え、この駆動手段が上記支柱の背面に固定されるハウジングと、このハウジングに軸支される歯車と、この歯車に基部が噛合すると共にこの基部に連設される駆動アーム本体が上記スリットを貫通して窓枠側に突出し上記歯車の回転に伴い上下方向に回転する駆動アームと、一端側がこの駆動アームの先端部に揺動自在に連結されて他端側が上記支持材に揺動自在に連結される左右のリンクとを有する換気装置において、上記換気口を開く方向に上記窓枠を附勢する附勢手段を備え、上記附勢手段は、ダブルトーションばねからなり、先端部が左右の上記リンクの上面にそれぞれ引っ掛かる左右一対のアーム部と、これらのアーム部にそれぞれ連設される左右一対のコイル部と、これらのコイル部を連結すると共に上記駆動アーム本体上面に当接する連結部とを備え、上記コイル部が上記駆動アームと上記リンクとを連結する連結手段に保持されることを特徴とする。
【００１５】
この場合において、上記支持材は、上記窓枠体の内側に左右に配置され、上記リンクは、上記駆動アームの左右に設けられてなり、左側のリンクは、その一端側が上記駆動アームの先端部の左側に、その他端側が左側の支持材に揺動自在に連結され、右側のリンクは、その一端側が上記駆動アームの先端部の右側に、その他端側が左側の支持材に揺動自在に連結されることが好ましい。
【００１６】
この場合において、上記附勢手段は、ダブルトーションばねからなり、先端部が左右の上記リンクの上面にそれぞれ引っ掛かる左右一対のアーム部と、これらのアーム部にそれぞれ連設される左右一対のコイル部と、これらのコイル部を連結すると共に駆動アーム本体上面に当接する連結部とを備え、上記コイル部が駆動アームと上記リンクとを連結する連結手段に保持されることが好ましい。
【００１７】
この場合において、上記連結手段は、ボルトと、このボルトの外周に遊嵌されて直列に配置される三本の筒体と、同じく上記ボルトの外周に遊嵌されて上記各筒体の両側に配置される四枚のワッシャと、上記ボルトの先端部に螺合するナットとを備え、中央の筒体が上記駆動アームの先端部を左右に貫通すると共に、この筒体の左右に回転自在に装着される左右のホルダに左右の上記リンクの他端が結合し、左右の筒体が左右の上記コイル部内に遊嵌されることが好ましい。
【発明の効果】
【００１８】
請求項１に記載の発明によれば、附勢手段を備えることにより、換気口を閉じるときに発生するガタツキを防止することが可能となる。また、附勢手段がダブルトーションばねからなることで、附勢手段の構成が簡易で、附勢手段の取り付けが容易に可能となる。
【００１９】
請求項２に記載の発明によれば、窓枠をバランスよく支え、揺動させることが可能となり、強度を増すことが可能となる。
【００２１】
請求項３に記載の発明によれば、附勢手段が左右に移動したとしても脱落することがなく、附勢手段がリンクの円滑な揺動の妨げとならない。
【図面の簡単な説明】
【００２２】
【図１】本発明の一実施の形態に係る換気装置を備えるビニールハウスを示す斜視図である。
【図２】本発明の一実施の形態に係る換気装置を示す斜視図である。
【図３】本発明の一実施の形態に係る換気装置における駆動手段周辺部を拡大し、一部を切り欠いて示す斜視図である。
【図４】本発明の一実施の形態に係る換気装置における駆動手段の一部、附勢手段及び連結手段を拡大して示す分解斜視図である。
【図５】本発明の一実施の形態に係る換気装置における附勢手段周辺部を拡大して示す斜視図である。
【図６】本発明の一実施の形態に係る換気装置を示す側面図である。
【発明を実施するための形態】
【００２３】
以下に本発明の一実施の形態を示す換気装置について図面を参照しながら説明する。いくつかの図面を通して付された同じ符号は、同じ部品かまたはそれに対応する部品を示す。
【００２４】
図１に示すように、上記換気装置Ａは、農作物や園芸用植物を育成するためのビニールハウスＨの妻面Ｈ１、屋根面Ｈ２、側面Ｈ３等に設けられて、ビニールハウスＨ内を換気するものである。
【００２５】
そして、換気装置Ａは、図２に示すように、換気口Ｃを形成する換気枠１と、この換気枠１の正面に下辺部を揺動自在に取り付けられて上記換気口Ｃを開閉する窓枠２と、上記換気枠１の上下に架設されて軸方向に沿ってスリット３０が形成される支柱３と、上記窓枠１の上下に架設される支持材４Ｌ、４Ｒと、上記窓枠２を駆動する駆動手段５とを備える。
【００２６】
この駆動手段５は、図３に示すように、上記支柱３の背面に固定されるハウジング５０と、このハウジング５０に軸支される歯車６と、この歯車６に基部７０が噛合すると共にこの基部７０に連設される駆動アーム本体７１が上記スリット３０を貫通して窓枠２側に突出し上記歯車６の回転に伴い上下方向に回転する駆動アーム７と、一端側がこの駆動アーム７の先端部７１ａに揺動自在に連結されて他端側が上記支持材４Ｌ、４Ｒに揺動自在に連結されるリンク８Ｌ、８Ｒとを有し、換気装置Ａは、上記換気口Ｃを開く方向に上記窓枠２を附勢する附勢手段９を備える。
【００２７】
以下に、本実施の形態に係る換気装置Ａの各構成部品について詳細に説明する。
【００２８】
上記換気枠１は、図２に示すように、四本の換気枠体１Ｕ、１Ｂ、１Ｌ、１Ｒからなり、換気枠体１Ｕ、１Ｂ、１Ｌ、１Ｒが一本ずつ上下左右に配置されて矩形に形成される。また、換気枠１は、ビニールハウスＨの妻面Ｈ１、屋根面Ｈ２、側面Ｈ３等に設けられて各換気枠体１Ｕ、１Ｂ、１Ｌ、１Ｒの内側に換気口Ｃを形成する。尚、図示しないが、換気口Ｃから害虫や害鳥が侵入することを防止するため、換気枠１にネットが展張される。
【００２９】
上記換気枠１の正面に対向して下辺部を揺動自在に取り付けられる窓枠２は、四本の窓枠体２Ｕ、２Ｂ、２Ｌ、２Ｒからなり、窓枠体２Ｕ、２Ｂ、２Ｌ、２Ｒが一本ずつ上下左右に配置されて矩形に形成される。本実施の形態において、上側の窓枠体２Ｕが上側の換気枠体１Ｕに枢着されてなり、窓枠２の下辺部に位置する下側の窓枠体２Ｂを下側の換気枠体１Ｂに離着座させる。
【００３０】
また、符示しないが、上記窓枠２にはビニールシートが展張されており、下側の窓枠体２Ｂを下側の換気枠体１Ｂに当接させて換気口Ｃを閉じたとき、上記ビニールシートで風雨が換気口ＣからビニールハウスＨ内に浸入することを防止することが可能となり、下側の窓枠体２Ｂを下側の換気枠体１Ｂから離して換気口Ｃを開いたとき、換気口Ｃを介してビニールハウスＨ内を換気することが可能となる。
【００３１】
上記換気枠１には支柱３が、上記窓枠２には支持材４Ｌ、４Ｒがそれぞれ上下に架設されてなり、上記支柱３と上記支持材４Ｌ、４Ｒとの間に窓枠２を駆動するための駆動手段５が介装される。
【００３２】
上記支柱３は、上側の換気枠体１Ｕと下側の換気枠体１Ｂとの間に架設されて換気枠１の略中央に設けられる。支柱３の略中央部には、軸方向に沿って支柱３を前後に貫通するスリット３０が形成されてなる。一方、上記支持材４Ｌ、４Ｒは、上側の窓枠体２Ｕと下側の窓枠体２Ｂとの間に架設されて窓枠体２の内側に左右に配置される。
【００３３】
上記駆動手段５は、図３に示すように、支柱３の背面側に固定されるハウジング５０と、このハウジング５０に軸支される歯車６と、この歯車６に基部７０が噛合する駆動アーム７とを備え、駆動アーム７がスリット３０を貫通して窓枠２側に突出する。
【００３４】
上記歯車６は、螺子歯車からなり、外周に螺旋状の歯６ａを備え、支柱３の背面に対向して垂直に設けられる。この歯車６の背面側には滑車５１が連結され、この滑車５１の外周に沿って二条の溝５１ａ、５１ｂが形成されている。そして、これらの溝５１ａ、５１ｂに牽引ロープ５２が掛け回され、この牽引ロープ５２の両端が滑車５１の両側から垂れ下がり、ハウジング５０の図中下端に取り付けられるブラケット５３によって交差する。
【００３５】
上記構成を備えることにより、作業者が牽引ロープ５２の端部を引っ張ることにより滑車５１を介して歯車６を回転し、駆動アーム７を図中上下方向に回転駆動することが可能となる。尚、図示しないが歯車６にモータを連結してこのモータを操作することにより歯車６を回転させるとしても良く、歯車６を回転するための構成は適宜選択することが可能である。
【００３６】
上記駆動アーム７は、支柱３のスリット３０を前後に貫通する平板状部材であり、支柱３の背面側に配設されてハウジング５０に軸支される基部７０と、この基部７０に連設されて支柱３の正面側（窓枠２側）に突出する駆動アーム本体７１とを備える。
【００３７】
駆動アーム７の基部７０は、略円盤状に形成されて図中上側外周に沿って歯車６の歯６ａに噛合する複数の歯７ａを備え、噛合する歯６ａと歯７ａの間に歯車の回転を可能にする所定の隙間（バックラッシュ）が形成される。
【００３８】
尚、図中には、歯車６を図中上側に、駆動アーム７の基部７０を図中下側に配置した状態を示すがこの限りではなく、図示しないが、駆動アーム７の基部７０の下側外周に沿って歯７ａを設け、歯車６を下側にして基部７０に噛合させるとしても良く、駆動アーム７の形状を適宜選択することが可能である。
【００３９】
また、本実施の形態においては、歯車６と駆動アーム７の基部７０とでウォームギヤを構成し、歯車６で駆動アーム７を図中上下方向に回転させるがこの限りではなく、他の歯車機構を選択して駆動アーム７を回転させるとしても良い。
【００４０】
上記駆動アーム本体７１は、図４に示すように、基部７０の正面側の下部から図中上方に向けて延設される連結片７１ｃと、この連結片７１ｃから正面に向けて湾曲する湾曲部７１ｂと、この湾曲部７１ｂの正面側に延設されてリンク８Ｌ、８Ｒに連結する先端部７１ａとを備える。
【００４１】
そして、上記先端部７１ａに連結されるリンク８Ｌ、８Ｒは、駆動アーム７の左右に設けられてなり、左側（図５中右側）のリンク８Ｌは、その一端側が駆動アーム７の先端部７１ａの左側（図５中右側）に、その他端側が左側の支持材４Ｌの略中央部に揺動自在に連結される。一方、右側（図５中左側）のリンク８Ｒは、その一端側が駆動アーム７の先端部７１ａの右側（図５中左側）に、その他端側が右側の支持材４Ｒの略中央部に揺動自在に連結される。
【００４２】
尚、リンク８Ｌ、８Ｒを二本設けて左右の支持材４Ｌ、４Ｒに連結させることにより、窓枠２をバランスよく支えて揺動させ、リンク８Ｌ、８Ｒの強度を増すことが可能となるが、リンク及び支持材を一本ずつ設けるとしても良く、また、リンク８Ｌ、８Ｒを左右の窓枠体２Ｌ、２Ｒに連結させて左右の窓枠体２Ｌ、２Ｒを支持材４Ｌ、４Ｒとして機能させるとしても良い。
【００４３】
上記構成を備えることにより、図６中二点鎖線で示すように、駆動アーム７の先端部７１ａが図中下方に位置するとき、リンク８Ｌ、８Ｒが一端側（駆動アーム７側）から他端側（支持材４Ｌ、４Ｒ側）に向けて起立するためリンク８Ｌ、８Ｒの傾きが大きくなり、窓枠２の下辺部が換気枠１に接近して換気口Ｃの開口量が小さくなる。
【００４４】
そして、駆動アーム７を図中上方に向けて回転すると、リンク８Ｌ、８Ｒが一端側（駆動アーム７側）を図中上方に押し上げられて倒れるためリンク８Ｌ、８Ｒの傾きが小さくなり、窓枠２の下辺部が換気枠１から離間して換気口Ｃの開口量が大きくなる。つまり、駆動アーム７を回転してリンク８Ｌ、８Ｒの傾きを変化させることにより、窓枠２の下辺部を揺動し、換気口Ｃを開閉することが可能となる。
【００４５】
本実施の形態において、図５に示すように、駆動アーム本体７１とリンク８Ｌ、８Ｒとの間に窓枠２を開く方向に附勢する附勢手段９が介装され、この附勢手段９は、ダブルトーションばねからなる。このダブルトーションばね９は、先端部が左右のリンク８Ｌ、８Ｒの上面にそれぞれ引っ掛かる左右一対のアーム部９０Ｌ、９０Ｒと、これらのアーム部９０Ｌ、９０Ｒにそれぞれ連設される左右一対のコイル部９１Ｌ、９１Ｒと、これらのコイル部９１Ｌ、９１Ｒを連結すると共に駆動アーム７の連結片７１ｃ上面に当接する連結部９２とを備える。
【００４６】
また、上記コイル部９１Ｌ、９１Ｒは、駆動アーム７にリンク８Ｌ、８Ｒを揺動自在に連結する連結手段１０に保持されながらアーム部９０Ｌ、９０Ｒで左右のリンク８Ｌ、８Ｒを、連結部９２で駆動アーム７の連結片７１ｃをそれぞれ図中下側に附勢する。
【００４７】
当該構成を備えることにより、ダブルトーションばね９は、リンク８Ｌ、８Ｒの上面と駆動アーム７の連結片７１ｃ上面とを離間させる方向、即ち、リンク８Ｌ、８Ｒの傾きを小さくして換気口Ｃを開く方向に附勢することが可能となる。
【００４８】
したがって、ダブルトーションばね９で窓枠２を開く方向に支えながら換気口Ｃを閉じることから、換気口Ｃを閉じるときのガタツキを防止することが可能となる。また、ダブルトーションばね９は、換気口Ｃを開く方向に窓枠２を附勢することから、換気口Ｃを開く作業が従来よりも容易に可能となる。
【００４９】
また、附勢手段をダブルトーションばね９で構成することにより、附勢手段の構成が簡易であり、附勢手段の取り付けが容易となるが、上記附勢手段及び附勢手段を取り付ける位置は、上記の限りではなく、換気口Ｃを開く方向に窓枠２附勢し得る限りにおいて、適宜構成を選択することが可能である。
【００５０】
上記ダブルトーションばね９を保持すると共に駆動アーム７にリンク８Ｌ、８Ｒを揺動自在に連結する連結手段１０は、図４に示すように、ボルト１１と、このボルト１１の外周に遊嵌されて直列に配置される三本の筒体１２Ｌ、１２Ｃ、１２Ｒと、同じくボルト１０の外周に遊嵌されて各筒体１２Ｌ、１２Ｃ、１２Ｒの両側に配置される四枚のワッシャＷ、Ｗ、Ｗ、Ｗと、上記ボルト１１の先端部に螺合して上記筒体１２Ｌ、１２Ｃ、１２ＲおよびワッシャＷ、Ｗ、Ｗ、Ｗの抜け止めをするナット１３とを備える。
【００５１】
そして、中央の筒体１２Ｃが駆動アーム７の先端部７１ａを左右に貫通し、この筒体１２の左右に回転自在に装着される左右のホルダ１４Ｌ、１４Ｒに左右のリンク８Ｌ、８Ｒが結合する。また、左右の筒体１２Ｌ、１２Ｒは、ダブルトーションはね９の左右のコイル部９１Ｌ、９１Ｒ内に遊挿される。
【００５２】
上記構成を備えることにより、ダブルトーションはね９が左右に移動したとしても、左右の筒体１２Ｌ、１２Ｒの両側に配置されるワッシャＷ、Ｗ、Ｗ、Ｗがコイル部９１Ｌ、９１Ｒの左右の移動を規制するため、ダブルトーションばね９の脱落を防止することが可能となる。
【００５３】
また、中央の筒体１２Ｃの両側に配置されるワッシャＷ、Ｗで中央の筒体１２Ｃを区画してコイル部９１Ｌ、９１Ｒとリンク８Ｌ、８Ｒとが接触することを防止すると共に、中央の筒体１２Ｃと左右の筒体１２Ｌ、１２Ｒとが相対回転可能であるため、コイル部９１Ｌ、９１Ｒが縮径して左右の筒体１２Ｌ、１２Ｒを締め付けたとしてもリンク８Ｌ、８Ｒの円滑な揺動の妨げとならない。
【００５４】
次に、本実施の形態に係る換気装置の作動について説明する。まず、下側の窓枠体２Ｂと下側の換気枠体１Ｂとが最も離間して、換気口Ｃが最も開いた状態にあるとき、図６中実線で示すように、駆動アーム７の先端部７１ａが図中上方に位置し、リンク８Ｌ、８Ｒが倒れてリンク８Ｌ、８Ｒの傾きが小さい。このとき、ダブルトーションばね９は、略伸び切った状態にある。
【００５５】
そして、換気口Ｃを閉じるため、作業者が牽引ロープ５２の一端側を引っ張ると、歯車６の回転に伴い駆動アーム７が回転してその先端部７１ａが図中下方に移動する。このとき、リンク８Ｌ、８Ｒが起立してリンク８Ｌ、８Ｒの傾きが大きくなり、リンク８Ｌ、８Ｒの上面と駆動アーム７の連結片７１ｃの上面が接近するため、ダブルトーションばね９が折り曲げられてはね反力を生じ、換気口Ｃを開く方向に附勢する。
【００５６】
更に歯車９を回転して下側の窓枠体２Ｂを下側の窓枠体１Ｂに当接させ換気口Ｃを閉じたとき、リンク８Ｌ、８Ｒは支持材４Ｌ、４Ｒに沿って略垂直に起立し、左右のリンク８Ｌ、８Ｒの間に駆動アーム７の先端部７１ａの上部が挿入されて、リンク８Ｌ、８Ｒと先端部７１ａの一部が重なり、ダブルトーションばね９のばね反力が最大となる。
【００５７】
一方、換気口Ｃを開くため、作業者が牽引ロープ５２の他端側を引っ張ると、歯車６が逆方向に回転し、この歯車６の回転に伴い駆動アーム７が回転してその先端部７１ａが図中上方に移動し、リンク８Ｌ、８Ｒの一端側（駆動アーム７側）を図中上方に押し上げる。このとき、ダブルトーションばね９で附勢されながら、リンク８Ｌ、８Ｒが倒れてリンク８Ｌ、８Ｒの傾きが小さくなり、リンク８Ｌ、８Ｒの上面と駆動アーム７の連結片７１ｃの上面が離間して、ダブルトーションばね９が伸びる。
【００５８】
以上、本発明の好ましい実施の形態を説明したが、特許請求の範囲から逸脱することなく改造、変形及び変更を行うことができることは理解すべきである。
【符号の説明】
【００５９】
Ａ  換気装置
Ｈ  ビニールハウス
Ｗ  ワッシャ
Ｃ  換気口
１  換気枠
２  窓枠
３  支柱
４Ｌ、４Ｒ  支持材
５  駆動手段
６  歯車
７  駆動アーム
８Ｌ、８Ｒ  リンク
９  附勢手段（ダブルトーションばね）
１０  連結手段
１１  ボルト
１２Ｌ、１２Ｃ、１２Ｒ  筒体
３０  スリット
５０  ハウジング
５１  滑車
５２  牽引ロープ
７０  基部
７１  駆動アーム本体
９０Ｌ、９０Ｒ  アーム部
９１Ｌ、９１Ｒ  コイル部
９２  連結部
【図１】
0005612437.tif 000002
【図２】
0005612437.tif 000003
【図３】
0005612437.tif 000004
【図４】
0005612437.tif 000005
【図５】
0005612437.tif 000006
【図６】
0005612437.tif 000007